(57)【要約】      （修正有）【課題】作業効率を向上できるプレス機を提供する。【解決手段】プレス機が、本体、下側プレスアセンブリ２０及び上側プレスアセンブリ３０を有する。本体は、第１の駆動機構１１、第２の駆動機構１３、少なくとも１つの第１の支持ロッド１２Ａ及び少なくとも１つの第２の支持ロッド１２Ｂを有する。少なくとも１つの第１の支持ロッドは、第１の駆動機構に回転可能に接続されている。少なくとも１つの第２の支持ロッドは、第２の駆動機構に回転可能に接続されている。下側プレスアセンブリは、本体の少なくとも１つの第１の支持ロッドに移動可能に取り付けられている。上側プレスアセンブリは、本体の少なくとも１つの第２の支持ロッドに移動可能に取り付けられているとともに、下側プレスアセンブリに向かって移動することが可能である。【選択図】図１
2020110839.tif 000002
【特許請求の範囲】
【請求項１】
第１の駆動機構、第２の駆動機構、前記第１の駆動機構に回転可能に接続されている少なくとも１つの第１の支持ロッド、及び、前記第２の駆動機構に回転可能に接続されている少なくとも１つの第２の支持ロッド、を有する、本体、
前記本体の前記少なくとも１つの第１の支持ロッドに移動可能に取り付けられている下側プレスアセンブリ、並びに、
前記本体の前記少なくとも１つの第２の支持ロッドに移動可能に取り付けられているとともに、前記下側プレスアセンブリに向かって移動することが可能である上側プレスアセンブリ、を備える、
プレス機。
【請求項２】
前記少なくとも１つの第１の支持ロッドは下側ねじ部分を有し、前記下側プレスアセンブリは、前記少なくとも１つの第１の支持ロッドの前記下側ねじ部分に摺動可能に取り付けられている少なくとも１つの第１の摺動構成要素を有することを特徴とする、請求項１に記載のプレス機。
【請求項３】
前記少なくとも１つの第２の支持ロッドは上側ねじ部分を有し、前記上側プレスアセンブリは、前記少なくとも１つの第２の支持ロッドの前記上側ねじ部分に摺動可能に取り付けられている少なくとも１つの第２の摺動構成要素を有することを特徴とする、請求項１に記載のプレス機。
【請求項４】
前記少なくとも１つの第２の支持ロッドは上側ねじ部分を有し、前記上側プレスアセンブリは、前記少なくとも１つの第２の支持ロッドの前記上側ねじ部分に摺動可能に取り付けられている少なくとも１つの第２の摺動構成要素を有することを特徴とする、請求項２に記載のプレス機。
【請求項５】
前記本体は、２つの前記第１の支持ロッド及び２つの前記第２の支持ロッドを有し、該２つの第１の支持ロッド及び該２つの第２の支持ロッドは間隔を置いて配置され、前記第１の駆動機構は、第１の駆動モータ、前記第１の駆動モータに接続されている第１の駆動構成要素、前記２つの第１の支持ロッドにそれぞれ固定されているとともに、前記第１の駆動構成要素に接続されている２つの第１の伝達構成要素、並びに、前記第１の駆動構成要素及び前記２つの第１の伝達構成要素と噛み合う第１の伝達装置を有し、前記第２の駆動機構は、第２の駆動モータ、前記第２の駆動モータに接続されている第２の駆動構成要素、前記２つの第２の支持ロッドにそれぞれ固定されているとともに、前記第２の駆動構成要素に接続されている２つの第２の伝達構成要素、並びに、前記第２の駆動構成要素及び前記２つの第２の伝達構成要素と噛み合う第２の伝達装置を有することを特徴とする、請求項１〜４のいずれか一項に記載のプレス機。
【請求項６】
前記第１の伝達装置はチェーンであり、前記第１の駆動構成要素及び前記２つの第１の伝達構成要素は、前記チェーンと噛み合うスプロケットであることを特徴とする、請求項５に記載のプレス機。
【請求項７】
前記第２の伝達装置はタイミングベルトであり、前記第２の駆動構成要素及び前記２つの第２の伝達構成要素は、前記タイミングベルトと噛み合うタイミングプーリであることを特徴とする、請求項５に記載のプレス機。
【請求項８】
前記第２の伝達装置はタイミングベルトであり、前記第２の駆動構成要素及び前記２つの第２の伝達構成要素は、前記タイミングベルトと噛み合うタイミングプーリであることを特徴とする、請求項６に記載のプレス機。
【請求項９】
前記上側プレスアセンブリは、前記少なくとも１つの第２の支持ロッドに取り付けられているコネクタ、及び、前記コネクタに接続されているとともに、該コネクタと前記下側プレスアセンブリとの間に位置付けられる上側プレス金型、を有することを特徴とする、請求項１〜４のいずれか一項に記載のプレス機。
【請求項１０】
前記上側プレスアセンブリは、前記２つの第２の支持ロッドに取り付けられているコネクタ、及び、前記コネクタに接続されているとともに、該コネクタと前記下側プレスアセンブリとの間に位置付けられる上側プレス金型、を有することを特徴とする、請求項８に記載のプレス機。
【発明の詳細な説明】
【技術分野】
【０００１】
本発明は、プレス機に関し、より詳細には、プレス機の作業効率を改善するために２つの移動可能なプレス金型を有するプレス機に関する。
【背景技術】
【０００２】
従来のプレス機は、本体、固定されたプレス金型及び能動的なプレス金型を備える。固定されたプレス金型は本体に固定されている。能動的なプレス金型は、固定されたプレス金型の上で本体に移動可能に取り付けられている。作業者は、ワークを固定されたプレス金型に配置できる。次に、作業者は、従来のプレス機を動作させて、能動的なプレス金型が固定されたプレス金型に向かって下方に移動することを可能にすることができ、最終的に、能動的なプレス金型は、ワークを固定されたプレス金型とともにプレスする。
【０００３】
しかし、従来のプレス機は以下の欠点を有する。従来のプレス機のプレス動作の行程は、能動的なプレス金型によって完了する。これによって、作業者は、能動的なプレス金型の移動を待つのに長い時間がかかることになる。そのため、従来のプレス機は十分には効率的ではない。
【発明の概要】
【発明が解決しようとする課題】
【０００４】
本発明の主な目的は、作業効率を改善できるプレス機を提供することである。
【課題を解決するための手段】
【０００５】
プレス機は、従来のプレス機の非効率の問題を解決するように、プレス機のプレス動作の行程を共有するために２つの移動可能なプレス金型を備える。
【０００６】
本発明によるプレス機は、本体、下側プレスアセンブリ及び上側プレスアセンブリを有する。本体は、第１の駆動機構、第２の駆動機構、少なくとも１つの第１の支持ロッド及び少なくとも１つの第２の支持ロッドを有する。少なくとも１つの第１の支持ロッドは、第１の駆動機構に回転可能に接続されている。少なくとも１つの第２の支持ロッドは、第２の駆動機構に回転可能に接続されている。下側プレスアセンブリは、本体の少なくとも１つの第１の支持ロッドに移動可能に取り付けられている。上側プレスアセンブリは、本体の少なくとも１つの第２の支持ロッドに移動可能に取り付けられているとともに、下側プレスアセンブリに向かって移動することが可能である。
【０００７】
本発明の他の目的、利点及び新規の特徴は、添付の図面と併せて読めば以下の詳細な説明からより明らかとなるであろう。
【図面の簡単な説明】
【０００８】
【図１】本発明によるプレス機の斜視図である。
【図２】図１におけるプレス機の側面図である。
【図３】図１におけるプレス機の別の側面図である。
【図４】図１におけるプレス機の第１の駆動機構の拡大斜視図である。
【図５】図１におけるプレス機の第２の駆動機構の拡大斜視図である。
【図６】図１におけるプレス機の動作中の側面図である。
【発明を実施するための形態】
【０００９】
図１〜図３を参照する。本発明によるプレス機は、本体１０、下側プレスアセンブリ２０及び上側プレスアセンブリ３０を備える。
【００１０】
図１〜図３を参照する。本体１０は、底部、上部、第１の駆動機構１１、複数の支持ロッド１２Ａ、１２Ｂ及び第２の駆動機構１３を有する。
第１の駆動機構１１は、本体１０の底部に位置付けられる。複数の支持ロッド１２Ａ、１２Ｂは、第１の駆動機構１１に間隔を置いて接続されており、直立して延在する。複数の支持ロッド１２Ａ、１２Ｂは、少なくとも１つの第１の支持ロッド１２Ａ及び少なくとも１つの第２の支持ロッド１２Ｂを含む。
図１を更に参照する。本発明では、複数の支持ロッド１２Ａ、１２Ｂは、２つの上記第１の支持ロッド１２Ａ及び２つの上記第２の支持ロッド１２Ｂから構成される。
４つの支持ロッド１２Ａ、１２Ｂが、本体１０の４つの角にそれぞれ配置される。さらに、２つの第１の支持ロッド１２Ａが対角線上に配置される。同様に、２つの第２の支持ロッド１２Ｂも対角線上に配置される。２つの第１の支持ロッド１２Ａのそれぞれ１つは、第１の支持ロッド１２Ａの下端付近に配置される下側ねじ部分１２０Ａを有する。第２の支持ロッド１２Ｂのそれぞれ１つは、第２の支持ロッド１２Ｂの上端付近に配置される上側ねじ部分１２０Ｂを有する。第２の駆動機構１３は、本体１０の上部に位置付けられ、複数の支持ロッド１２Ａ、１２Ｂが接続され、第１の駆動機構１１の上に位置付けられる。
【００１１】
図３及び図４を参照する。第１の駆動機構１１は、４つの基部１１０、第１の駆動モータ１１１、減速器１１２、第１の駆動構成要素１１３、少なくとも１つの第１の伝達構成要素１１４、第１の伝達装置１１５及び第１のアイドラ１１６を有する。
４つの基部１１０のそれぞれ１つは、４つの支持ロッド１２Ａ、１２Ｂの対応する１つに接続されており、４つの支持ロッド１２Ａ、１２Ｂは、４つの基部１１０の軸を中心にそれぞれ回転可能である。減速器１１２には第１の駆動モータ１１１が接続されている。第１の駆動構成要素１１３は、減速器１１２のシャフトに固定されているため、第１の駆動モータ１１１によって提供される駆動力が、減速器１１２を介して第１の駆動構成要素１１３を回転させることができる。
【００１２】
少なくとも１つの第１の伝達構成要素１１４は、少なくとも１つの第１の支持ロッド１２Ａに固定されている。本発明では、第１の駆動機構１１は、２つの上記第１の伝達構成要素１１４を有する。２つの第１の伝達構成要素１１４は、２つの第１の支持ロッド１２Ａにそれぞれ固定されており、第１の駆動構成要素１１３に接続されている。第１の伝達装置１１５は、第１の駆動構成要素１１３及び２つの第１の伝達構成要素１１４と噛み合う。その結果、第１の駆動構成要素１１３の回転によって、２つの第１の伝達構成要素１１４及び２つの第１の支持ロッド１２Ａが、第１の伝達装置１１５を介して回転する。
第１のアイドラ１１６は、第１の伝達装置１１５付近に取り付けられる構成要素であり、第１の伝達装置１１５に当接する。本発明では、第１の伝達装置１１５はチェーンであってもよく、第１の駆動構成要素１１３、２つの伝達構成要素１１４及び第１のアイドラ１１６は、それに従ってチェーンと噛み合うためのスプロケットであってもよい。
【００１３】
図３及び図５を参照する。第２の駆動機構１３は、第２の駆動モータ１３１、第２の駆動構成要素１３２、少なくとも１つの第２の伝達構成要素１３３、第２の伝達装置１３４及び第２のアイドラ１３５を有する。
第２の駆動構成要素１３２は、第２の駆動モータ１３１のシャフトに固定されており、それによって第２の駆動モータ１３１によって駆動される。少なくとも１つの第２の伝達構成要素１３３は、少なくとも１つの第２の支持ロッド１２Ｂに固定されている。本発明では、第２の駆動機構１３は、２つの第２の伝達構成要素１３３を有する。２つの第２の伝達構成要素１３３のそれぞれ１つは、２つの第２の支持ロッド１２Ｂの対応する１つに固定されており、２つの第２の伝達構成要素１３３は第２の駆動構成要素１３２に接続されている。第２の伝達装置１３４は、第２の駆動構成要素１３２及び２つの第２の伝達構成要素１３３と噛み合う。その結果、第２の駆動モータ１３１によって提供される駆動力が、２つの第２の伝達構成要素１３３及び２つの第２の支持ロッド１２Ｂを回転させることができる。その上、第２のアイドラ１３５は、第２の伝達装置１３４付近に取り付けられる構成要素であり、第２の伝達装置１３４に当接する。本発明では、第２の伝達装置１３４はタイミングベルトであり、第２の駆動構成要素１３２及び２つの第２の伝達構成要素１３３は、タイミングベルトと噛み合うタイミングプーリである。
【００１４】
図１〜図３を参照する。下側プレスアセンブリ２０は、下側プレス金型であり、複数の支持ロッド１２Ａ、１２Ｂに移動可能に取り付けられている。
下側プレスアセンブリ２０は、少なくとも１つの摺動構成要素２１を有する。少なくとも１つの第１の摺動構成要素２１は、少なくとも１つの第１の支持ロッド１２Ａに取り付けられている。本発明では、下側プレスアセンブリ２０は、２つの第１の支持ロッド１２Ａの下側ねじ部分１２０Ａにそれぞれ摺動可能にスリーブ接続される２つの第１の摺動構成要素２１を有する。２つの第１の摺動構成要素２１のそれぞれ１つ及び２つの第１の支持ロッド１２Ａの対応する１つは、スクリュロッド及びスライダの相互に作用する組み合わせとして働く。それによって、下側プレスアセンブリ２０は、２つの第１の支持ロッド１２Ａが第１の駆動機構１１によって回転される間に、２つの第１の摺動構成要素２１を介して鉛直に移動できる。
【００１５】
上側プレスアセンブリ３０は、コネクタ３０１、上側プレス金型３０２、少なくとも１つの第２の摺動構成要素３１及び圧力計３２を備える。コネクタ３０１には複数の支持ロッド１２Ａ、１２Ｂに移動可能に取り付けられている。上側プレス金型３０２は、コネクタ３０１に接続されており、コネクタ３０１と下側プレスアセンブリ２０との間に位置付けられる。
【００１６】
少なくとも１つの第２の摺動構成要素３１は、少なくとも１つの第２の支持ロッド１２Ｂに取り付けられている。本発明では、上側プレスアセンブリ３０は、２つの第２の支持ロッド１２Ｂの上側ねじ部分１２０Ｂにそれぞれスリーブ接続されている２つの第２の摺動構成要素３１を有する。２つの第２の摺動構成要素３１のそれぞれ１つ及び２つの第２の支持ロッド１２Ｂの対応する１つは、スクリュロッド及びスライダの相互に作用する組み合わせとして働く。それによって、上側プレスアセンブリ３０は、２つの第２の支持ロッド１２Ｂが第２の駆動機構１３によって回転される間に、２つの第２の摺動構成要素３１を介して鉛直に移動できる。
圧力計３２は、上側プレス金型３０２の、下側プレスアセンブリ２０から離れた側に配置され、上側プレス金型３０２とコネクタ３０１との間に位置付けられる。圧力計３２を使用して、上側プレス金型３０２が下側プレスアセンブリ２０に対してプレスするときの圧力を測定できる。
【００１７】
上述した技術的な特徴によって、本発明によるプレス機は、小さいトン数未満、例えば３００トン未満である効率的なプレス動作を提供する。
図６を参照する。第１の駆動モータ１１１及び第２の駆動モータ１３１を制御することによって、下側プレスアセンブリ２０は上方に移動し、上側プレスアセンブリ３０は下方に移動する。下側プレスアセンブリ２０及び上側プレスアセンブリ３０は、プレス機のプレス動作の行程を一緒に終了し、上側プレスアセンブリ３０が完了する距離は、下側プレスアセンブリ２０が完了する距離よりも大きい。したがって、本発明のプレス機の効率は、行程を完了するために能動的なプレス金型のみを使用する従来のプレス機の効率よりも高いものとすることができる。
本発明では、プレス機の全行程は５００ミリメートルである。下側プレスアセンブリ２０が完了する距離は５０ミリメートルであり、上側プレスアセンブリ３０が完了する距離は４５０ミリメートルである。これらの技術的な特徴は、動作時間を短縮する他に、下側プレスアセンブリ２０及び上側プレスアセンブリ３０の移動を調整することによって、プレス機により提供される圧力の正確さも改善できる。
【００１８】
その上、上側プレス金型３０２を複数の支持ロッド１２Ａ、１２Ｂに直接的に取り付けることに比して、コネクタ３０１は、上側プレスアセンブリ３０の重量を増大させ、それによって機械構造のより高い強度を提供できる。
【００１９】
本発明の多くの特徴及び利点を、本発明の構造及び特徴の詳細とともに上記の説明において記載したが、本開示は例示に過ぎない。添付の特許請求の範囲が表現される用語の広範な通例の意味によって示される全範囲に対して、本発明の原理内で細部、特に部品の形状、サイズ及び配置に関して変更を加えることができる。
【図１】
2020110839.tif 000003
【図２】
2020110839.tif 000004
【図３】
2020110839.tif 000005
【図４】
2020110839.tif 000006
【図５】
2020110839.tif 000007
【図６】
2020110839.tif 000008